【事件の表示】
　平成　４年特許願第３０１２８９号「イメージセンサ読み取り方法及び装置」拒絶査定に対する審判事件［平成　６年　５月３１日出願公開、特開平　６−１５００３８］について、次のとおり審決する。
【結　論】
　本件審判の請求は、成り立たない。
【理　由】
１．手続の経緯・本願発明
　本願は、平成４年１１月１１日の出願であって、その請求項１に係る発明（以下、「本願発明」という。）は、平成１３年７月２３日付け、及び平成１４年４月２２日付けの各手続補正書により補正された明細書及び図面の記載からみて、特許請求の範囲の請求項１に記載されたとおりの次のものと認める。
「チケット等のカードを搬入し、その表面に記されたバーコード表示をイメージセンサからなる検出手段によって読み取る方法において、
　所定の挿入口から挿入される上記カードを搬送路に沿って所定位置まで搬送して静止させるとともに、シャッタの作動により新たなカードの挿入を禁止する状態とし、この状態で、上記バーコード表示の先端コードから終端コードまでを同時に検出可能なライン状のセンサからなる上記検出手段を上記搬送路上方の待機位置からカード表面に当接する検出位置に下降させ、さらにこの検出手段をカード表面に沿って前記バーコード表示のバー方向へのみ移動させながらバーコード表示の検出を行ない、検出終了後、上記検出手段を上記待機位置に退避させ、上記カードを上記搬送路に沿って上記挿入口とは反対側に搬送するとともに、上記シャッタの作動により新たなカードの挿入を許容するようにしたことを特徴とするイメージセンサ読み取り方法。」
　
２．引用例
　これに対して、当審において平成１４年２月１５日付けで通知した拒絶の理由に引用した特開昭６２−１８０４８９号公報（昭和６２年８月７日出願公開、以下「引用例１」という。）、及び特開昭６０−２２２９７９号公報（昭和６０年１１月７日出願公開、以下「引用例２」という。）には、それぞれ、次の事項が記載されている。
　
［引用例１］
Ａ．「本発明は、・・・（中略）・・・ＩＣカードからの情報を読出し及び書込みを行うリード・ライト装置に関する。」（第１頁右下欄第１４〜１９行）
Ｂ．「第６図〜第９図は本発明の第２の実施例を示す図で、・・・（中略）・・・第２の実施例は自動的にカードが挿入される点で・・・（中略）・・・相違するものである。
　そこで、コネクタレバー１６を揺動させるモータをＭ２とし、カードを挿入搬送させるモータをＭ１とし、・・・（中略）・・・以下この実施例について説明する。
　基板１には取付板４２が固着され、該取付板４２にはカード挿入搬送用のモータＭ１及びプーリ軸４４が回転自在に固着され、上記プーリ軸４４にはプーリ４５が固着され、上記モータＭ１の軸４３とプーリ４５間にベルト４６が装架されている。・・・（中略）・・・カード挿入口４の近傍にはカード挿入検知用の光電素子等からなるセンサＰ０が設けられている。該カードリード・ライト装置の後部にはカードが挿入され完全に該カードリード・ライト装置内に取込まれ、カードがカード挿入口４からの突出がなくなった時点でカードを検出し、カード挿入完了を検出する光電素子等のセンサＰ３が設けられている。・・・（中略）・・・コネクターを揺動させるモータＭ２は、・・・（中略）・・・コネクタレバー１６の先端に設けられたコンダクタ１７の接触子１９をカード面上の端子面に圧接するようになっている。」（第４頁右下欄第１行〜第５頁右上欄第９行、及び第６〜９図参照）
Ｃ．「そこで、第２の実施例の動作を第９図の動作処理フローと共に説明する。
　カードが挿入され、センサＰ０がカードの挿入を検出すると、ＣＰＵ５１はセンサＰ０からの検出信号を検出して（ステップＳ２１）、入出力回路５３，モータ駆動回路５５を介してカード挿入搬送用のモータＭ１を正転させ（ステップＳ２２）、ベルト４６を第７図矢印の方向へ回転させる。カードはベルト４６と基板２のカード挿入通路面に挟まれ、ベルト４６の回転と共にカード通路３内を搬送され、該カードが完全にカード通路３内に取込まれ、カードの端部がカード挿入口４から突出しなくなった時点で、センサＰ３がカードの一端を検出する。ＣＰＵ５１はこのセンサＰ３からの搬入完了を示す出力信号により（ステップＳ２３）、搬送用のモータＭ１の回転を停止させ（ステップＳ２４）、次にモータ駆動回路５６を介してモータＭ２を正転させる（ステップＳ２５）。モータＭ２の正転により・・・（中略）・・・コネクタレバー１６をピン１８を中心に時計方向に回動させて、コネクタレバー１６に固着されたコンダクタ１７上の接触子１９をカードのメモリ部への端子面に圧接させる。そして、接触子１９が端子面に圧接する点までシャフト９が回動するとセンサ羽根１３の突片１３ｂがセンサＰ２により検出され、このセンサＰ２からの検出出力をＣＰＵ５１が検出すると（ステップＳ２６）、モータＭ２の駆動を停止させ（ステップＳ２７）、情報処理装置へカード挿入完了信号を送出する（ステップＳ２８）。情報処理装置はこのカード挿入完了信号を受けて、カードのメモリ内から、端子面及び接触子１９を介して情報を読取り、情報処理した後、・・・（中略）・・・情報処理が終了すると処理終了信号を送出する。ＣＰＵ５１はこの処理終了信号を検出すると（ステップＳ２９）、モータＭ２を逆転させ（ステップＳ３０）、コネクタレバー１６をピン１８を中心に反時計方向に回動させて、カードの端子面と接触子１９との圧接を解き、コンダクタ１７をカード面から離反させる。そして、シャフト９の逆転によりセンサ羽根１３の突片１３ａがセンサＰ１によって検出されると、その検出信号をＣＰＵ５１は受け（ステップＳ３１）、モータＭ２の逆転を停止させ（ステップＳ３２）、・・・（中略）・・・待機状態へ復帰する。」（第５頁左下欄第１行〜第６頁左上欄第１７行、及び第６〜９図参照）
　
　上記Ａ〜Ｃの記載、及び第６〜９図を参照すると、引用例１には、次の発明（以下、「引用例１記載の発明」という。）が記載されているものと認められる。
　ＩＣカードを搬入し、該ＩＣカードのメモリ部の情報を接触子１９を介して読み取る方法において、カード挿入口４から挿入される上記ＩＣカードをカード通路３に沿って搬入して所定位置で静止させた状態で、上記接触子１９を上記カード通路３から離間した待機位置からＩＣカード表面に当接する圧接位置に移動させ、情報の読み取り終了後、上記接触子１９を上記待機位置に退避させるようにした、ＩＣカードの情報読み取り方法。
　
［引用例２］
「バーコードラベルを読み取るためのバーコードリーダとしては、種々のタイプのものが存在する。・・・（中略）・・・ペンシル形のバーコードリーダを発展させたのが、ラインセンサを内蔵し一次元情報をなぞることなく読み取ることができるバーコードリーダである。このラインセンサ内蔵形のものは、・・・（中略）・・・ラインセンサ１４ｄによってバーコードラベル１３における１ライン上の情報を同時に読み取ることができるように構成されている。
　このように光学的に集光してラインセンサーによりバーコードを読み取るバーコードリーダにおいては、第３図（ａ）に示すように、バーコードラベル１３上の読取ラインＡ上に例えばゴミや汚れ１１が付いていた場合には、バーコードラベル１３上の情報を誤って読み取ることが生ずる。そこで、シート１２に貼られたバーコードラベル１３上の情報を正確に読み取る手段として、第３図（ｂ）に示すように、シート１２上方に配置されたバーコードリーダ１４を図示矢印Ｅ方向へ水平移動させて複数の読取ラインを読むように走査することにより、ゴミや汚れのない別の読取ラインＢ又はＣを読み取るようにすればよい。すなわち、Ｅ方向へ水平移動させて読取ラインを複数回読み取ることによって、バーコードリーダ１４による読み取り確率を向上させることができる」（第１頁左下欄第１６行〜第２頁左上欄第１５行、及び第２、３図参照）
　
３．対比
　そこで、本願発明と引用例１記載の発明とを対比すると、まず、引用例１記載の発明における「ＩＣカード」、「接触子１９」、「カード挿入口４」、「カード通路３」、「圧接位置」は、それぞれ、本願発明における「チケット等のカード」、「検出手段」、「所定の挿入口」、「搬送路」、「検出位置」に対応しているものと認められる。
　また、引用例１記載の発明において、「接触子１９をカード通路３から離間した待機位置からＩＣカード表面に当接する圧接位置に移動させ」ることは、引用例１の実施例においては、コネクタレバー１６をピン１８を中心に時計方向に回動させることにより、結果として、接触子１９を上方の待機位置から下降させることになるのか、あるいは、下方の待機位置から上昇させることになるのかは明らかでないが、どちらであったとしても、カード表面から離間した位置からカード表面に当接する位置に移動させていることには変わりなく、実質的に、本願発明において、「検出手段を搬送路上方の待機位置からカード表面に当接する検出位置に下降させ」ることに対応する事項である。
　さらに、引用例１記載の発明における「情報の読み取り」と、本願発明における「バーコード表示の検出」とは、ともに、「情報の読み取り」であるという点では、対応する事項である。
　よって、本願発明と引用例１記載の発明とは、
　チケット等のカードを搬入し、該カードの情報を検出手段によって読み取る方法において、
　所定の挿入口から挿入される上記カードを搬送路に沿って所定位置まで搬送して静止させた状態で、上記検出手段を上記搬送路上方の待機位置からカード表面に当接する検出位置に下降させ、情報の読み取り終了後、上記検出手段を上記待機位置に退避させるようにした読み取り方法
である点で一致し、次の点が相違する。
　相違点（１）：本願発明は、カードの表面に記されたバーコード表示をイメージセンサからなる検出手段によって読み取るイメージセンサ読み取り方法であって、上記検出手段を、バーコード表示の先端コードから終端コードまでを同時に検出可能なライン状のセンサからなるものとし、カード表面に沿ってバーコード表示のバー方向へのみ移動させながらバーコード表示の検出を行なうものとしているのに対し、引用例１記載の発明は、ＩＣカードのメモリ部の情報を接触子１９を介して読み取るＩＣカードの情報読み取り方法であって、上記接触子１９は、イメージセンサからなる検出手段ではない点。
　相違点（２）：本願発明においては、検出処理中にはシャッタの作動により新たなカードの挿入を禁止する状態とし、また、検出終了後、カードを搬送路に沿って挿入口とは反対側に搬送するとともに、上記シャッタの作動により新たなカードの挿入を許容するようにしているのに対し、引用例１記載の発明においては、そのようにはしていない点。
　
４．当審の判断
　上記相違点（１）、（２）について検討する。
［相違点（１）について］
　引用例２には、引用例２の上記記載を参照すると、静止したバーコードラベル上のバーコードにより情報を表示し、該バーコードにおける１ライン上の情報を同時にラインセンサにより読み取り、かつ、読み取りを正確にするために、該ラインセンサをバー方向に移動させて複数の読取ラインを読むようにするバーコード情報読み取り方法の発明が記載されているものと認められる。
　上記引用例２記載の発明において、バーコードにおける１ライン上の情報には、当然、先端コードから終端コードまでの情報が含まれると解される。
　してみれば、上記引用例２記載の発明を引用例１記載の発明に対して適用することにより、引用例１記載の発明の情報読み取り方法を、カードの表面に記されたバーコード表示をイメージセンサからなる検出手段によって読み取るイメージセンサ読み取り方法とし、かつ、上記検出手段を、バーコード表示の先端コードから終端コードまでを同時に検出可能なライン状のセンサからなるものとし、カード表面に沿ってバーコード表示のバー方向へのみ移動させながらバーコード表示の検出を行なうものとすることは、当業者が容易に想到し得ることと認められる。
　
［相違点（２）について］
　カードを挿入してその情報を読み取らせる装置において、検出処理中にはシャッタの作動により新たなカードの挿入を禁止する状態とし、また、検出終了後、カードを搬送路に沿って挿入口とは反対側に搬送するとともに、上記シャッタの作動により新たなカードの挿入を許容するようにすることは、周知技術（必要であれば、例えば、特開昭５４−１５９１２９号公報、実願昭５０−４５５７７号（実開昭５１−１２５９９９号）のマイクロフィルム等を参照されたい。）にすぎない。
　してみれば、引用例１記載の発明に対して上記周知技術を適用することにより、検出処理中にはシャッタの作動により新たなカードの挿入を禁止する状態とし、また、検出終了後、カードを搬送路に沿って挿入口とは反対側に搬送するとともに、上記シャッタの作動により新たなカードの挿入を許容するようにすることは、当業者が適宜に設計できる事項であるものと認められる。
　
　そして、本願発明の構成によってもたらされる効果も、引用例１、２に記載の発明、及び上記周知技術から当業者ならば容易に予測することができる程度のものであって、格別なものとはいえない。
　
５．むすび
　したがって、本願発明は、引用例１、２に記載の発明、及び上記周知技術に基いて、当業者が容易に発明をすることができたものであるので、特許法第２９条第２項の規定により特許を受けることができない。
　よって、結論のとおり審決する。